(57)【要約】      （修正有）【課題】青色光の色度の改善が図れる投写型映像表示装置を提供する。【解決手段】投写型映像表示装置１００は、第１の波長帯を有する青色光を出射する光源ユニット１０と、青色光の照射によって第１の波長帯よりも長波長側にあり、第１の波長帯に隣接する第２の波長帯の発光光を発光する発光体を有する蛍光体ホイール３０と、青色光と発光光を均一化するロッドインテグレータ６０と、ロッドインテグレータによって均一化された光を変調するＤＭＤ７０によって変調された光を投写する投写ユニット８０と、を備え、発光体の青色光の入射側には、青色光を部分的に反射し、発光光を透過するダイクロイック膜が形成されている。【選択図】図１
2017215573.tif 000002
【特許請求の範囲】
【請求項１】
第１の波長帯を有する青色光を出射する固体光源と、
前記青色光の照射によって、前記第１の波長帯よりも長波長側にあり、前記第１の波長帯に隣接する第２の波長帯の発光光を発光する発光体を有するホイールと、
前記青色光と、前記発光光を均一化する光均一化素子と、
前記光均一化素子によって均一化された光を変調する光変調素子と、
前記光変調素子によって変調される光を投写する投写ユニットと、を備え、
前記発光体の前記青色光の入射側には、前記青色光を部分的に反射し、前記発光光を透過する、ダイクロイック膜が形成されている、投写型映像表示装置。
【請求項２】
前記第２の波長帯の発光光は前記第１の波長帯に隣接する第３の波長帯の光を含み、前記ダイクロイック膜は、前記第３の波長帯の光のみを透過する、請求項１に記載の投写型映像表示装置。
【請求項３】
前記青色光と、前記発光光が入射されるカラーホイールをさらに備え、
前記第２の波長帯の発光光は前記第１の波長帯に隣接する第３の波長帯の光を含み、前記カラーホイールは前記第２の波長帯の発光光のうち前記第３の波長帯の光のみを透過する、請求項１に記載の投写型映像表示装置。
【請求項４】
前記ダイクロイック膜の、前記青色光に対する透過率は１０〜６０％である、請求項１に記載の投写型映像表示装置。
【請求項５】
前記ホイールは、少なくとも赤成分光、緑成分光、青成分光を含む各色成分光を生成して時分割で出射し、前記青成分光は、前記第１の波長帯の光と、前記第３の波長帯の光とからなる、請求項２、または３に記載の投写型映像表示装置。
【発明の詳細な説明】
【技術分野】
【０００１】
本開示は、青色の励起光を出射する光源と、励起光に応じて発光する発光体とを備える光源装置を使用した投写型映像表示装置に関する。
【背景技術】
【０００２】
特許文献１には、励起光源として青色レーザー発光器を備え、この励起光源からの射出光を拡散板によって拡散させ、拡散光を青色波長帯域の光源光として使用する光源装置において、青色波長帯域の光源光における波長分布を広くした光源装置を備えることにより、高品質なカラー画像を投影可能なプロジェクタが開示されている。
【先行技術文献】
【特許文献】
【０００３】
【特許文献１】特開２０１１−１２８５２１号公報
【発明の概要】
【発明が解決しようとする課題】
【０００４】
本開示は、青色光の色度を適正化することが可能な投写型映像表示装置を提供する。
【課題を解決するための手段】
【０００５】
本開示の投写型映像表示装置は、第１の波長帯を有する青色光を出射する固体光源と、青色光の照射によって第１の波長帯よりも長波長側にあり、第１の波長帯に隣接する第２の波長帯の発光光を発光する発光体を有するホイールと、青色光と、発光光を均一化する光均一化素子と、光均一化素子によって均一化された光を変調する光変調素子と、光変調素子によって変調される光を投写する投写ユニットと、を備え、発光体の青色光の入射側には、青色光を部分的に反射し、発光光を透過する、ダイクロイック膜が形成されている。
【発明の効果】
【０００６】
本開示によれば、投写型映像表示装置で表示される青色光の色度の改善ができる。
【図面の簡単な説明】
【０００７】
【図１】実施の形態１における投写型映像表示装置を示す図
【図２】実施の形態１における蛍光体ホイールを示す図
【図３Ａ】実施の形態１における色生成（黄及び緑）の原理を示す図
【図３Ｂ】実施の形態１における色生成（青）の原理を示す図
【図４】実施の形態１におけるカラーホイールを示す図
【図５Ａ】実施の形態１の投写型映像表示装置における黄成分光のスペクトル図
【図５Ｂ】実施の形態１の投写型映像表示装置における緑成分光のスペクトル図
【図５Ｃ】実施の形態１の投写型映像表示装置における青成分光のスペクトル図
【図６】実施の形態１の効果を説明するための色度図を示す図
【図７】実施の形態２における蛍光体ホイールを示す図
【図８】実施の形態２における色生成（青）の原理を示す図
【図９】実施の形態２におけるカラーホイールを示す図
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、添付図面および以下の説明は、当業者が本開示を十分に理解するために、提供されるのであって、これらにより特許請求の範囲に記載の主題を限定することは意図されていない。
【００１０】
［実施の形態１］
（投写型映像表示装置）
以下において、実施の形態１に係る投写型映像表示装置の構成について、図１〜図６を用いて説明する。図１は、実施の形態１に係る投写型映像表示装置１００の光学構成を示す図である。実施の形態１では、映像光として、赤成分光Ｒ、緑成分光Ｇ、青成分光Ｂ（第１青成分光Ｂ１＋第２青成分光Ｂ２）、黄成分光Ｙを用いる場合について例示する。
【００１１】
図１に示すように、第１に、投写型映像表示装置１００は、光源ユニット１０と、ダイクロイックミラー２０と、蛍光体ホイール３０と、λ／４板４０と、カラーホイール５０と、ロッドインテグレータ６０と、ＤＭＤ（Ｄｉｇｉｔａｌ  Ｍｉｒｒｏｒ  Ｄｅｖｉｃｅ）７０と、投写ユニット８０とを有する。
【００１２】
光源ユニット１０は、例えば、レーザダイオード（ＬＤ：Ｌａｓｅｒ  Ｄｉｏｄｅ）や発光ダイオード（ＬＥＤ：Ｌｉｇｈｔ  Ｅｍｉｔｔｉｎｇ  Ｄｉｏｄｅ）などの複数の固体光源によって構成される。本実施の形態では固体光源としてレーザダイオード、特に青色光を出射するレーザダイオード１１を使用している。
【００１３】
光源ユニット１０からの出射光は、波長４５５ｎｍの青色光であり、映像光（第１青成分光Ｂ１）として用いられるとともに、蛍光体を励起するための励起光としても用いられる。ただし、光源ユニット１０からの出射光の波長は４５５ｎｍに限定されるものではなく、例えば、波長４４０〜４６０ｎｍであっても良い。この青色光の波長は、第１の波長帯の一例である。
【００１４】
光源ユニット１０から出射される青色光は、レンズ１１１、レンズ１１２、拡散板１４１を透過しダイクロイックミラー２０に入射する。ダイクロイックミラー２０は、第１青成分光Ｂ１（励起光）を反射する。ダイクロイックミラー２０で反射した第１青成分光Ｂ１は、レンズ１１３、１１４で集光されて、蛍光体ホイール３０の蛍光体を励起し発光させる。
【００１５】
また、光源ユニット１０からの出射光はＳ偏光の光であって、ダイクロイックミラー２０は、第１青成分光Ｂ１（Ｓ偏光）を反射し、蛍光体ホイール３０で発光した黄色の発光光Ｙ、緑色の発光光Ｇ１及び蛍光体ホイールで反射された第１青成分光Ｂ１（Ｐ偏光）を透過する。すなわち、ダイクロイックミラー２０は、Ｓ偏光の第１青成分光Ｂ１を反射し、Ｐ偏光の第１青成分光Ｂ１と無偏光の黄色の発光光Ｙ及び緑色の発光光Ｇ１を透過する。
【００１６】
蛍光体ホイール３０は、図２に示すように、基板３１と、基板３１上に形成された反射膜３２と、反射膜３２上に円環状に塗布形成された蛍光体膜３３と、基板３１を回転させるためのモーター３５とにより構成されている。図２の（ａ）は蛍光体ホイールを図１の−ｘ方向に向かって見た図、図２の（ｂ）は図１のｚ方向に向かって見た図である。
【００１７】
また、図２に示すように、蛍光体膜３３上には誘電体多層膜３４が形成されている。蛍光体膜３３は、図２の（ａ）に示されるように、黄色蛍光体膜３３Ｙと、第１の緑色蛍光体膜３３Ｇ１と、第２の緑色蛍光体膜３３Ｇ２から構成されている。誘電体多層膜３４は、図２の（ａ）に示されるように、反射防止膜３４Ｃと、青部分反射膜３４Ｂから構成されている。図２の（ａ）において、括弧付きの符号は、その上層側に括弧が付されていない符号の構成要素が位置することを意味する。すなわち、基板３１の上に反射膜３２が配置され、黄色蛍光体膜３３Ｙと第１の緑色蛍光体膜３３Ｇ１のそれぞれの上に反射防止膜３４Ｃが配置され、第２の緑色蛍光体膜３３Ｇ２の上に青部分反射膜３４Ｂが配置されることを表している。蛍光体膜３３は、発光体の一例であり、蛍光体ホイール３０は、ホイールの一例である。
【００１８】
蛍光体膜３３は、例えば、セラミック蛍光体の粉末を接着剤（シリコーン樹脂）に混ぜ込んで基板に塗布し、高温で硬化させることで作製することが可能である。蛍光体膜３３に使用されるセラミック蛍光体としては、例えば、セリウム付活ガーネット構造蛍光体であるＹＡＧ蛍光体やＬＡＧ蛍光体である。
【００１９】
蛍光体ホイール３０は、図２の（ａ）に示すように、円周方向において４つのセグメントから構成される。第１のセグメント（角度領域θＲ）は、赤成分光Ｒを生成するための領域である。第２のセグメント（角度領域θＧ）は、緑成分光Ｇを生成するための領域である。第３のセグメント（角度領域θＢ）は、青成分光Ｂを生成するための領域である。第４のセグメント（角度領域θＹ）は、黄成分光Ｙを生成するための領域である。
【００２０】
黄色蛍光体膜３３Ｙは、光源ユニット１０から出射される第１青成分光Ｂ１（励起光）に応じて黄色の発光光Ｙを発光する蛍光体Ｙを有する。黄色蛍光体膜３３Ｙは、蛍光体膜３３が形成される円環領域のうち、第４のセグメントと第１のセグメント（所定の角度領域θＹ＋θＲ）において形成されている。なお、黄色蛍光体膜３３Ｙは、蛍光体ホイール３０の回転中において、第１青成分光Ｂ１（励起光）が照射される領域である。言い換えると、黄色蛍光体膜３３Ｙ上には、レンズ１１４によって第１青成分光Ｂ１が集光される。
【００２１】
第１の緑色蛍光体膜３３Ｇ１は、光源ユニット１０から出射される第１青成分光Ｂ１（励起光）に応じて緑色の発光光Ｇ１を発光する蛍光体Ｇ１を有する。第１の緑色蛍光体膜３３Ｇ１は、蛍光体膜３３が形成される円環領域のうち、第２のセグメント（所定の角度領域θＧ）において形成されている。なお、第１の緑色蛍光体膜３３Ｇ１は、蛍光体ホイール３０の回転中において、第１青成分光Ｂ１（励起光）が照射される領域である。言い換えると、第１の緑色蛍光体膜３３Ｇ１上には、レンズ１１４によって第１青成分光Ｂ１が集光される。
【００２２】
第２の緑色蛍光体膜３３Ｇ２は、光源ユニット１０から出射される第１青成分光Ｂ１（励起光）に応じて緑色の発光光Ｇ２を発光する蛍光体Ｇ２を有する。このとき、緑色の発光光Ｇ２は、映像光である青成分光Ｂの色度調整用としての第２青成分光Ｂ２を含んでいる。第２の緑色蛍光体膜３３Ｇ２は、蛍光体膜３３が形成される円環領域のうち、第３のセグメント（所定の角度領域θＢ）において形成されている。青部分反射膜３４Ｂは入射する第１青成分光Ｂ１（励起光）のうち、一部を反射し、残りを透過するとともに、緑色の発光光Ｇ２を透過する。青部分反射膜３４Ｂは、ダイクロイック膜の一例である。なお、第２の緑色蛍光体膜３３Ｇ２は、蛍光体ホイール３０の回転中において、第１青成分光Ｂ１（励起光）が照射される領域である。言い換えると、第２の緑色蛍光体膜３３Ｇ２上には、レンズ１１４によって第１青成分光Ｂ１が集光される。
【００２３】
次に、蛍光体ホイール３０の周辺部での色生成の原理について、図３Ａ及び図３Ｂを用いて説明する。
【００２４】
図３Ａは第１青成分光Ｂ１（励起光）が蛍光体ホイール３０の角度領域θＹ、θＲ、θＧのいずれかに照射される場合を示している。本実施の形態では、Ｓ偏光の第１青成分光Ｂ１（励起光Ｌ１）が、光源ユニット１０から出射される。励起光Ｌ１は、λ／４板４０を透過することで、円偏光の第１青成分光Ｂ１（励起光Ｌ２）となる。励起光Ｌ２は、反射防止膜３４Ｃを透過し（励起光Ｌ３ａ）、反射防止膜３４Ｃの効果により、励起光Ｌ３ａは励起光Ｌ２の９５％以上の光強度を維持して、黄色蛍光体膜３３Ｙもしくは第１の緑色蛍光体膜３３Ｇ１を照射する。
【００２５】
黄色蛍光体膜３３Ｙもしくは第１の緑色蛍光体膜３３Ｇ１は、励起光Ｌ３ａが照射されることで、黄色の発光光Ｙもしくは緑色の発光光Ｇ１を発光する。黄色の発光光Ｙ及び緑色の発光光Ｇ１は、３６０°全方位に出射されるが、基板３１に向かう方向に出射された光は、反射膜３２によって反射される。したがって、黄色の発光光Ｙ及び緑色の発光光Ｇ１は励起光Ｌ３ａの進行方向とは逆方向にλ／４板４０に向かって出射される。なお、黄色の発光光Ｙおよび緑色の発光光Ｇ１は、蛍光光であるため無偏光であり、λ／４板４０を透過しても無偏光である。
【００２６】
図３Ｂは第１青成分光Ｂ１（励起光）が蛍光体ホイール３０の角度領域θＢに照射される場合を示している。本実施の形態では、Ｓ偏光の第１青成分光Ｂ１（励起光Ｌ１）が、光源ユニット１０から出射される。励起光Ｌ１は、λ／４板４０を透過することで、円偏光の第１青成分光Ｂ１（励起光Ｌ２）となる。励起光Ｌ２の３５％は、青部分反射膜３４Ｂを透過して励起光Ｌ３ｂとなって第２の緑色蛍光体膜３３Ｇ２を照射する。残りの６５％の励起光Ｌ２は青部分反射膜３４Ｂで反射して映像光Ｌ４となる。
【００２７】
第２の緑色蛍光体膜３３Ｇ２は、第１青成分光Ｂ１（Ｌ３ｂ）が照射されることで、緑色の発光光Ｇ２を発光する。緑色の発光光Ｇ２は、３６０°全方位に出射されるが、基板３１に向かう方向に出射された光は、反射膜３２によって反射される。したがって、緑色の発光光Ｇ２は励起光Ｌ３ｂの進行方向とは逆方向にλ／４板４０に向かって出射される。青部分反射膜３４Ｂは、緑色の発光光Ｇ２を透過する。すなわち、青部分反射膜３４Ｂは、第１青成分光Ｂ１の波長帯（４５５ｎｍ）の光を３５％透過（６５％反射）し、緑色の発光光Ｇ２の波長帯（４６０〜７５０ｎｍ）の光を透過するダイクロイック膜である。また、青部分反射膜３４Ｂで反射された映像光Ｌ４は、励起光Ｌ２と同様に円偏光の第１青成分光Ｂ１であり、λ／４板４０を再度透過することで、Ｐ偏光の第１青成分光Ｂ１（映像光Ｌ５）となる。なお、青部分反射膜３４Ｂの透過率は、必要に応じて調整されるべきであり、１０〜６０％の範囲であれば良い。
【００２８】
このように、ダイクロイックミラー２０を透過して出射される光は、蛍光体ホイール３０の回転に伴って、角度領域θＹ＋θＲにおいては黄色の発光光Ｙ、角度領域θＧにおいては緑色の発光光Ｇ１、角度領域θＢにおいては、第１青成分光Ｂ１（映像光Ｌ５）と緑色の発光光Ｇ２の合成光となる。
【００２９】
図１に戻り、ダイクロイックミラー２０から出射される光は、レンズ１３１を透過し、ミラー１２４で反射して直角方向に光路が折り曲げられ、レンズ１３２を透過してカラーホイール５０に入射する。
【００３０】
カラーホイール５０は、図４に示すように、透明な基板５１と、基板５１上に形成された誘電体多層膜５２と、基板５１を回転させるためのモーター５３とにより構成されている。図４の（ａ）はカラーホイールを図１のｚ方向に向かって見た図、図４の（ｂ）は図１の−ｙ方向に向かって見た図である。
【００３１】
図４に示すように、誘電体多層膜５２は、所定の角度領域θＲ（第１のセグメント）において形成された赤透過ダイクロイック膜５２Ｒと、所定の角度領域θＧ（第２のセグメント）において形成された緑透過ダイクロイック膜５２Ｇと、所定の角度領域θＢ（第３のセグメント）において形成された青透過ダイクロイック膜５２Ｂと所定の角度領域θＹ（第４のセグメント）において形成された反射防止膜５２Ｃで構成される。
【００３２】
カラーホイール５０は、蛍光体ホイール３０と回転が同期するよう制御されている。すなわち、蛍光体ホイール３０の角度領域θＲに光が入射しているタイミングでは、カラーホイール５０の角度領域θＲに光が入射している。蛍光体ホイール３０の角度領域θＧに光が入射しているタイミングでは、カラーホイール５０の角度領域θＧに光が入射している。蛍光体ホイール３０の角度領域θＢに光が入射しているタイミングでは、カラーホイール５０の角度領域θＢに光が入射している。蛍光体ホイール３０の角度領域θＹに光が入射しているタイミングでは、カラーホイール５０の角度領域θＹに光が入射している。
【００３３】
このように、蛍光体ホイール３０とカラーホイール５０によって角度領域θＲ、θＧ、θＢ、θＹで生成される光は、時分割で出射する。すなわち、蛍光体ホイール３０とカラーホイール５０によって、赤成分光Ｒ、緑成分光Ｇ、青成分光Ｂ、黄成分光Ｙを含む各色成分光が生成されて時分割で出射されることになる。
【００３４】
以下に、各々の角度領域（セグメント）における色生成について、図５Ａ〜図５Ｃに示すスペクトルを参照しながら説明する。
【００３５】
角度領域θＲにおいては、蛍光体ホイール３０の黄色蛍光体膜３３Ｙから黄色の発光光Ｙ（図５Ａの実線）が出射され、カラーホイール５０の赤透過ダイクロイック膜５２Ｒを透過することで、赤成分光Ｒ（図５Ａの破線）となる。カラーホイール５０の赤透過ダイクロイック膜５２Ｒの分光特性を調整することにより、赤成分光Ｒの色純度を調整することができる。
【００３６】
角度領域θＧにおいては、蛍光体ホイール３０の第１の緑色蛍光体膜３３Ｇ１から緑色の発光光Ｇ１（図５Ｂの実線）が出射され、カラーホイール５０の緑透過ダイクロイック膜５２Ｇを透過することで、緑成分光Ｇ（図５Ｂの破線）となる。カラーホイール５０の緑透過ダイクロイック膜５２Ｇの分光特性を調整することにより、緑成分光Ｇの色純度を調整することができる。
【００３７】
角度領域θＢにおいては、蛍光体ホイール３０の第２の緑色蛍光体膜３３Ｇ２からの緑色の発光光Ｇ２（緑色の発光光Ｇ２は第２青成分光Ｂ２を含む）と、青部分反射膜３４Ｂで反射された第１青成分光Ｂ１が合成され、カラーホイール５０の青透過ダイクロイック膜５２Ｂを透過することで、青成分光Ｂとなる。青透過ダイクロイック膜５２Ｂは、第１青成分光Ｂ１を透過するとともに、緑色の発光光Ｇ２の短波長側を透過することで、第２青成分光Ｂ２を抽出する。第２青成分光Ｂ２は、波長４５５ｎｍの第１青成分光Ｂ１に混色することで、最適な青色色度に調整する。ここで、緑色の発光光Ｇ２の波長帯である４６０ｎｍ〜７５０ｎｍの波長帯は第２の波長帯の一例である。
【００３８】
本実施の形態では、第２青成分光Ｂ２の主波長は５１５ｎｍであるが、これに限定されるものではない。第２青成分光Ｂ２の主波長が４７０〜５３０ｎｍの範囲内になるよう、第２の緑色蛍光体膜３３Ｇ２の選定及び青透過ダイクロイック膜５２Ｂの分光特性を設計することが望ましい。本実施の形態における主波長５１５ｎｍの第２青成分光Ｂ２の波長帯である４６０〜５６０ｎｍは、第３の波長帯の一例である。図５Ｃにおいて、第１青成分光Ｂ１はスケールを１／１００としている。なお、蛍光体ホイール３０の第２の緑色蛍光体膜３３Ｇ２は第１の緑色蛍光体膜３３Ｇ１と同一であっても良く、異なっていても良い。
【００３９】
角度領域θＹにおいては、蛍光体ホイール３０の黄色蛍光体膜３３Ｙから黄色の発光光Ｙが出射され、カラーホイール５０の反射防止膜５２Ｃを透過することで黄成分光Ｙとなる。黄色の発光光Ｙがカラーホイール５０の反射防止膜５２Ｃを透過することによる色の変化は無視できるレベルである。
【００４０】
図１に戻り、カラーホイール５０を出射した光は、ロッドインテグレータ６０に入射する。ロッドインテグレータ６０は、ガラスなどの透明部材によって構成される中実のロッドである。ロッドインテグレータ６０は、光源ユニット１０から出射される光及び蛍光体ホイール３０から出射される光を均一化する。なお、ロッドインテグレータ６０は、内壁がミラー面によって構成される中空のロッドであってもよい。ロッドインテグレータ６０は、光均一化素子の一例である。
【００４１】
ロッドインテグレータ６０から出射した光は、レンズ１５１、レンズ１５２、レンズ１５３を透過して、三角プリズム１６１と三角プリズム１６２からなる全反射プリズムに入射後、ＤＭＤ７０に入射する。
【００４２】
ＤＭＤ７０は、光源ユニット１０、蛍光体ホイール３０、カラーホイール５０によって生成される各色成分光を、時分割で変調する。詳細には、ＤＭＤ７０は、複数の微小ミラーによって構成されており、複数の微小ミラーは可動式である。各微小ミラーは、基本的に１画素に相当する。ＤＭＤ７０は、各微小ミラーの角度を映像信号に応じて変更する変調動作によって、投写ユニット８０側に光を反射するか否かを切り替える。
【００４３】
ＤＭＤ７０は、図２および図４で説明した角度領域θＲ、θＧ、θＢ、θＹに対応して、各色の階調表現を行う。すなわち、角度領域θＲに光が照射されている時間においては、赤成分光Ｒ（映像光）を変調する。角度領域θＧに光が照射されている時間においては、緑成分光Ｇ（映像光）を変調する。角度領域θＢに光が照射されている時間においては、青成分光Ｂ（映像光）を変調する。角度領域θＹに光が照射されている時間においては、黄成分光Ｙ（映像光）を変調する。ＤＭＤ７０は、光変調素子の一例である。
【００４４】
ＤＭＤ７０で変調されて生成された映像光は、三角プリズム１６１、１６２を透過し、投写ユニット８０に入射する。投写ユニット８０に入射された映像光は図示しないスクリーンに拡大投写する。
【００４５】
図６は色度図を示しており、この色度図に示すように、本実施の形態の投写型映像表示装置１００の色域Ａは、ｓＲＧＢ（各色点のみ図６中に示す）を包含していることがわかる。第２青成分光Ｂ２の色度は図６中三角で示すポイントであり、第１青成分光Ｂ１に混色されることにより、青色色度が適正化される。
【００４６】
一方、第２青成分光Ｂ２を用いず、第１青成分光Ｂ１のみを映像光として用いる場合の色域Ｂは、ｓＲＧＢを包含しない領域があることがわかる。
【００４７】
（作用および効果）
実施の形態１では、第２の緑色蛍光体膜３３Ｇ２に青部分反射膜３４Ｂを形成することで、第１青成分光Ｂ１に第２青成分光Ｂ２を混色することができ、第１青成分光Ｂ１では包含できなかったｓＲＧＢを包含する色域が実現可能となる。
【００４８】
［実施の形態２］
実施の形態２は、実施の形態１で説明した蛍光体ホイール３０とカラーホイール５０に代えて、蛍光体ホイール３７とカラーホイール５７を用い、他の構成は実施の形態１と同様であるので、その説明を省略する。
【００４９】
図７は、実施の形態２で使用される蛍光体ホイール３７を示す図である。実施の形態１では、図２に示すように、蛍光体ホイール３０の角度領域θＢに形成された第２の緑色蛍光体膜３３Ｇ２の表面に、第１青成分光Ｂ１の一部を透過し残余を反射し、緑色の発光光Ｇ２を透過する特性の青部分反射膜３４Ｂを形成し、カラーホイール５０によって、緑色の発光光Ｇ２から第２青成分光Ｂ２を抽出する構成としていた。実施の形態２では、図７に示すように、蛍光体ホイール３７の角度領域θＢに形成された第２の緑色蛍光体膜３３Ｇ２の表面に、第１青成分光Ｂ１の一部を透過し残余を反射し、緑色の発光光Ｇ２の短波長側（第２青成分光Ｂ２）を透過する特性のダイクロイック膜３８Ｂが形成される。角度領域θＢでは、図８に示すように、ダイクロイック膜３８Ｂによって、緑色の発光光Ｇ２から第２青成分光Ｂ２が抽出される。
【００５０】
図９は実施の形態２で使用されるカラーホイール５７を示しており、カラーホイール５７は、透明な基板５１と、この基板５１上に形成された誘電体多層膜５２と、基板５１を回転させるためのモーター５３とにより構成されている。図９の（ａ）はカラーホイール５７を図１のｚ方向に向かって見た図、図９の（ｂ）はカラーホイール５７を図１の−ｙ方向に向かって見た図である。
【００５１】
実施の形態１では、図４に示すように、カラーホイール５０の角度領域θＢにおいて、青透過ダイクロイック膜５２Ｂが形成されていた。実施の形態２では、図９に示すように、カラーホイール５７の角度領域θＢには、角度領域θＹと同じく反射防止膜５２Ｃが形成されている。すなわち、蛍光体ホイール３７から出射した第１青成分光Ｂ１及び第２青成分光Ｂ２がカラーホイール５７の角度領域θＢの反射防止膜５２Ｃを透過することによる色の変化は無視できるレベルである。
【００５２】
［他の実施の形態］
以上のように、本出願において開示する技術の例示として、実施の形態１及び２を説明した。しかしながら、本開示における技術は、これに限定されず、変更、置き換え、付加、省略などを行った実施の形態にも適用できる。また、上記実施の形態１及び２で説明した各構成要素を組み合わせて、新たな実施の形態とすることも可能である。そこで、以下、他の実施の形態を例示する。
【００５３】
実施の形態１、２では、光変調素子として、ＤＭＤ７０が例示されているが、実施の形態は、これに限定されるものではない。光変調素子は、１つの液晶パネル或いは３つの液晶パネル（赤液晶パネル、緑液晶パネル及び青液晶パネル）であってもよい。液晶パネルは、透過型であってもよく、反射型であってもよい。
【００５４】
実施の形態１、２では、発光光を発生させる蛍光体として、蛍光体ホイールが例示されているが、実施の形態は、これに限定されるものではない。蛍光体は、静的な無機蛍光体セラミックでも良い。
【００５５】
なお、上述の実施の形態は、本開示における技術を例示するためのものであるから、特許請求の範囲またはその均等の範囲において種々の変更、置き換え、付加、省略などを行うことができる。
【産業上の利用可能性】
【００５６】
本開示は、プロジェクタ等の投写型映像表示装置に適用できる。
【符号の説明】
【００５７】
１０    光源ユニット
２０    ダイクロイックミラー
３０，３７    蛍光体ホイール
３１    基板
３２    反射膜
３３    蛍光体膜
３３Ｙ    黄色蛍光体膜
３３Ｇ１    第１の緑色蛍光体膜
３３Ｇ２    第２の緑色蛍光体膜
３４    誘電体多層膜
３４Ｃ    反射防止膜
３４Ｂ    青部分反射膜
３５，５３    モーター
３８Ｂ    ダイクロイック膜
４０    λ／４板
５０，５７    カラーホイール
５２    誘電体多層膜
５２Ｃ    反射防止膜
５１    基板
６０    ロッドインテグレータ
７０    ＤＭＤ
８０    投写ユニット
１００    投写型映像表示装置
１１１，１１２，１１３，１１４    レンズ
１２４    ミラー
１３１，１３２    レンズ
１４１    拡散板
１５１，１５２，１５３    レンズ
１６１，１６２    三角プリズム
【図１】
2017215573.tif 000003
【図２】
2017215573.tif 000004
【図３Ａ】
2017215573.tif 000005
【図３Ｂ】
2017215573.tif 000006
【図４】
2017215573.tif 000007
【図５Ａ】
2017215573.tif 000008
【図５Ｂ】
2017215573.tif 000009
【図５Ｃ】
2017215573.tif 000010
【図６】
2017215573.tif 000011
【図７】
2017215573.tif 000012
【図８】
2017215573.tif 000013
【図９】
2017215573.tif 000014